(57)【要約】【課題】側面に端子を有する蛍光ランプに対応したランプソケットにおいて、蛍光ランプをランプソケットに取り付ける際の取付不良を防止する。【解決手段】ケース本体１１と底板１２とからなるソケットケース内に、２つのソケット電極１３を収容しているランプソケット１０において、ソケット電極１３の底板部１５とソケットケースの底板１２の内面１２ａにより形成される角度θ３を５〜２０°程度とし、底板部１５の下方に、第２の縦板部１６と底板部１５との連結部のランプピン２３の挿入方向Ｐへの移動を許容する空間を設ける。【選択図】          図３
2004327376.tif 000002
【特許請求の範囲】
【請求項１】
挿入されたランプの２本の平行なランプピンのそれぞれと接触する２つのソケット電極をソケットケース内に備えたランプソケットにおいて、
前記２つのソケット電極の少なくとも一方が、前記ランプピンの挿入方向に沿った第１の縦板部および第２の縦板部と、前記第１の縦板部の下端と前記第２の縦板部の下端とを連結する底板部とを備え、
前記第２の縦板部と前記底板部との連結部が、前記ランプピンの挿入方向に移動可能に構成されていることを特徴とするランプソケット。
【請求項２】
挿入されたランプの２本の平行なランプピンのそれぞれと接触する２つのソケット電極をソケットケース内に備えたランプソケットにおいて、
前記２つのソケット電極の少なくとも一方が、前記ランプピンの挿入方向に沿った第１の縦板部および第２の縦板部と、前記第１の縦板部の下端と前記第２の縦板部の下端とを連結する底板部とを備え、
前記ソケットケース内に、前記第２の縦板部と前記底板部との連結部の前記ランプピンの挿入方向への移動を許容する空間が設けられていることを特徴とするランプソケット。
【発明の詳細な説明】
【０００１】
【発明の属する技術分野】
本発明は蛍光ランプ等に対応したランプソケットに関し、特にソケット電極の構成に関するものである。
【０００２】
【従来の技術】
従来より、特許文献１に記載されているように、複数の蛍光ランプを直線的に連続配置する際に蛍光ランプの非発光部を無くすべく、蛍光管の側面にランプピンを設けた蛍光ランプが提案されている。また、上記蛍光ランプに対応したランプソケットも併せて提案されている。
【０００３】
上記ランプソケットに蛍光ランプを正常に取り付けた際の前面図を図５（Ａ）、上記ランプソケットの前面図と平行な面の断面図を図６に示す。
【０００４】
蛍光ランプ５０は、蛍光管５１の側面に口金５２が取り付けられ、この口金５２に２本のランプピン５３が設けられている。
【０００５】
ランプソケット４０は、ケース本体４１と底板４２とからなるソケットケース内に、２つのソケット電極４３を収容している。このソケット電極４３は、ランプピン５３の挿入方向に沿った第１の縦板部４４および第２の縦板部４６と、第１の縦板部４４の下端と第２の縦板部４６の下端とを連結する底板部４５とを有しており、第１の縦板部４４がソケットケースに保持されている。また、第１の縦板部４４にはランプピン５３の側面と接触させるための突起部４４ａが形成されており、第２の縦板部４６にはランプピン５３の側面と接触させるための折曲部４６ａが形成されている。なお、２つのソケット電極４３は、それぞれ第１の縦板部４４がソケットケース中央側となるように対称的に配されている。
【０００６】
またランプソケット４０の底面には、蛍光ランプ５０がランプソケット４０に装着された際に、蛍光ランプ５０の口金５２の両側面に形成された突起５２ａが嵌入され、この口金５２を保持する保持部材６０が固着されている。
【０００７】
【特許文献１】
特開２００１−２１０１３５号公報
【０００８】
【発明が解決しようとする課題】
ところで、上述のようなランプソケット４０および蛍光ランプ５０においては、図５（Ｂ）に示すように、蛍光ランプ５０をランプソケット４０に取り付ける際に、ランプソケット４０のスロット４１ａに対してランプピン５３を傾けて挿入した場合、ランプピン５３の先端がソケット電極４３の第２の縦板部４６に形成された折曲部４６ａに触突し、ランプピン５３がスロット４１ａ内に正常に挿入されず、蛍光ランプ５０が傾いた状態で保持部材６０に保持されてしまうことがあり、この場合、口金５２の両側面に形成された突起５２ａのうち片側しか保持部材６０に嵌入されないため、蛍光ランプ５０に衝撃や振動等が加わった際に、蛍光ランプ５０が落下する虞があった。
【０００９】
本発明は上記問題に鑑みてなされたものであり、側面にランプピンを有する蛍光ランプに対応したランプソケットにおいて、蛍光ランプをランプソケットに取り付ける際の取付不良を防止することを目的とするものである。
【００１０】
【課題を解決するための手段】
本発明による第１のランプソケットは、挿入されたランプの２本の平行なランプピンのそれぞれと接触する２つのソケット電極をソケットケース内に備えたランプソケットにおいて、２つのソケット電極の少なくとも一方が、ランプピンの挿入方向に沿った第１の縦板部および第２の縦板部と、第１の縦板部の下端と第２の縦板部の下端とを連結する底板部とを備え、第２の縦板部と底板部との連結部が、ランプピンの挿入方向に移動可能に構成されていることを特徴とするものである。
【００１１】
また、本発明による第２のランプソケットは、挿入されたランプの２本の平行なランプピンのそれぞれと接触する２つのソケット電極をソケットケース内に備えたランプソケットにおいて、２つのソケット電極の少なくとも一方が、ランプピンの挿入方向に沿った第１の縦板部および第２の縦板部と、第１の縦板部の下端と第２の縦板部の下端とを連結する底板部とを備え、ソケットケース内に、第２の縦板部と底板部との連結部のランプピンの挿入方向への移動を許容する空間が設けられていることを特徴とするものである。
【００１２】
上記第１および第２のランプソケットにおいて、「ランプピンの挿入方向に沿った第１の縦板部および第２の縦板部」とは、ランプピンが挿入された場合にそのランプピンの側面に対向する板部であればよく、ランプピンの挿入方向に完全に沿ったものだけでなく、ランプピンの挿入方向に対して傾いているものも含む。また、第１の縦板部および第２の縦板部には、ランプピンの側面との接触を良好にするための突起や折曲部を設けてもよい。
【００１３】
また、上記「下端」における「下」とは、ランプソケットの設置状態に関わらず、ランプピンの挿入方向前方を意味する。
【００１４】
【発明の効果】
従来のランプソケットにおいては、蛍光ランプをランプソケットに取り付ける際に、ランプソケットのスロットに対してランプピンを傾けて挿入し、ランプピンの先端がソケット電極の第２の縦板部に形成された折曲部に触突した場合、ソケット電極の底板部がソケットケースの底板内面と接していたため、第２の縦板部と底板部との連結部から第２の縦板部の上端までの区間しか撓曲できず触突を解消することができなかったため、ランプピンが正常にスロットに挿入されず、蛍光ランプの取付不良が発生していたが、上記のように構成された本発明によるランプソケットにおいては、ソケット電極の第２の縦板部と底板部との連結部を、ランプピンの挿入方向に移動可能にしたので、蛍光ランプをランプソケットに取り付ける際に、上記のように傾けて挿入し、ランプピンの先端がソケット電極の第２の縦板部に形成された折曲部に触突した場合でも、第２の縦板部と底板部との連結部から第２の縦板部の上端までの区間のみならず、第２の縦板部と底板部との連結部から第１縦板部と底板部との連結部方向の部分も撓曲可能となることにより、第２の縦板部の上端がランプソケットの外周方向に移動して触突を解消しランプピンを正常にスロットに挿入させることができるため、蛍光ランプの取付不良を防止することが可能となる。
【００１５】
【発明の実施の形態】
以下、本発明の具体的な実施の形態について図面を用いて説明する。図１は本発明の一実施の形態によるランプソケットおよびこのランプソケットに対応した蛍光ランプの斜視図、図２は上記ランプソケットおよび蛍光ランプの前面図、図３は上記ランプソケットの前面図と平行な面の断面図である。
【００１６】
ランプソケット１０は、ケース本体１１と底板１２とからなるソケットケース内に、２つのソケット電極１３を収容している。
【００１７】
このソケット電極１３は、蛍光ランプ２０のランプピン２３の挿入方向Ｐに沿った第１の縦板部１４および第２の縦板部１６と、第１の縦板部１４の下端と第２の縦板部１６の下端とを連結する底板部１５とを有している。第１の縦板部１４と第２の縦板部１６にはそれぞれランプピン２３の側面と接触させるための折曲部１４ａと折曲部１６ａが形成されている。また、ソケット電極１３の底板部１５とソケットケースの底板１２の内面１２ａにより形成される角度θ６を５〜２０°程度とし、底板部１５の下方に、第１の縦板部１４と底板部１５との連結部を支点とした、第２の縦板部１６と底板部１５との連結部のランプピン２３の挿入方向Ｐへの移動を許容する空間を設けている。
【００１８】
なお、２つのソケット電極１３は、それぞれ第１の縦板部１４がソケットケース中央側において対称的にソケットケースにより保持されており、図３中においてソケット電極１３の少なくとも左右方向の動きが実質的に規制された状態でソケットケースに収容されている。
【００１９】
上記ランプソケット１０に対応した蛍光ランプ２０は、蛍光管２１の側面に口金２２が取り付けられ、この口金２２に２本のランプピン２３が設けられている。
【００２０】
またランプソケット１０の底面には、蛍光ランプ２０がランプソケット１０に装着された際に、蛍光ランプ２０の口金２２の両側面に形成された突起２２ａが嵌入され、この口金２２を保持する保持部材３０が固着されている。この保持部材３０は、弾性を有する鉄板が略コ字状に折り曲げられて形成されたものであり、両端に口金２２の突起２２ａを保持する保持部３０ａが形成されている。
【００２１】
本実施の形態の蛍光ランプ２０の口金２２は、ＪＩＳの定めるＧ５口金に沿ったものであり、この口金２２に設けられているランプピン２３の外径Ｄ１は２．３７ｍｍ、２つのランプピン２３の蛍光ランプ２０の中心側同士の間隔Ｌ３は２．３８ｍｍ、２つのランプピン２３の中心同士の間隔Ｌ４は４．７５ｍｍ、２つのランプピン２３の蛍光ランプ２０の外側同士の間隔Ｌ５は７．１２ｍｍとなっている。
【００２２】
それに対応して、ランプソケット１０において、２つのソケット電極１３の折曲部１４ａ同士の間隔Ｌ１は式１の関係を満たすようにすることが好ましく、折曲部１６ａ同士の間隔Ｌ２は式２の関係を満たすようにすることが好ましい。
Ｌ３−Ｄ１／４＜Ｌ１＜Ｌ３  （１）
（Ｌ２−Ｌ１）／２＜Ｄ１  （２）
【００２３】
上記のように構成されたランプソケット１０においては、ソケット電極１３の第２の縦板部１６と底板部１５との連結部を、ランプピン２３の挿入方向Ｐに移動可能にしたので、蛍光ランプ２０をランプソケット１０に取り付ける際に、ランプソケット１０のスロット１１ａに対してランプピン２３を傾けて挿入し、ランプピン２３の先端がソケット電極１３の第２の縦板部１６に形成された折曲部１６ａに触突した場合でも、第１の縦板部１４と底板部１５との連結部から第２の縦板部１６の上端までの区間が撓曲可能となることにより、第２の縦板部１６の上端がランプソケット１０の外周方向に移動して触突が解消されるとともに、ランプソケット１０のスロット１１ａに対してランプピン２３が傾けて挿入された場合、保持部材３０の復元力により口金２２が垂直方向に付勢されるため、ランプピン２３を正常にスロット１１ａに挿入させることができるため、蛍光ランプ２０の取付不良を防止することが可能となる。
【００２４】
なお、ソケット電極１３の第１の縦板部１４と底板部１５により形成される角度θ４と第２の縦板部１６と底板部１５により形成される角度θ５を略等しくすることにより、２つの角の撓曲が同程度となるため、局所的に弾性疲労が発生するのを抑えることができる。
【００２５】
また、隔壁１１ｂの幅Ｌ８を１．５ｍｍ程度として、従来のものと比較して隔壁の幅を広くすることにより、蛍光ランプ２０が挿入方向Ｐに対して傾き得る範囲を規制することができるため、より確実に取付不良を防止することが可能となる。このとき、隔壁１１ｂの幅Ｌ８は式３の関係を満たすようにすることが好ましい。（ただし、ソケット電極１３の厚さをＴ１とする。）なお、図４に示すように、ソケット電極１３の第１の縦板部１４の略全体に渡って凸部１４ｂを形成しても、実質的に同様の効果を得ることができる。
Ｌ８＋Ｔ１×２＜Ｌ３  （３）
【００２６】
また、口金２２の両側面に形成された突起２２ａより下方の幅Ｌ７を保持部材３０の両端の内側に向け凸に形成された保持部３０ａ同士の間隔Ｌ６と略同寸かそれ以下とすることにより、口金２２に形成された突起２２ａが保持部材３０の保持部３０ａを乗り越えて保持部材３０により正常に保持されていない場合には、口金２２が保持部材３０から簡単に外れるため、正常に取り付けられているかの判断が容易に行えるようになる。なお、突起２２ａより上方の幅は保持部３０ａ同士の間隔Ｌ６以上とした方が、保持部材３０による保持が良好となる。本実施の形態では、口金２２は上記のように構成されている。
【００２７】
さらに、保持部３０ａの先端部の角度θ１と口金２２の突起２２ａ下部の角度θ２とを略等しくすることにより、口金２２を保持部材３０の両端の保持部３０ａ間に挿入した際にランプピン２３が挿入方向に対して自然に平行となるため、取付不良を防止する効果を向上させることができる。
【００２８】
なお、保持部材３０に口金２２を嵌入させ易くするためには、角度θ１およびθ２ともに７０〜４５°とすることが好ましい。本実施の形態では角度θ１およびθ２は４５°としている。
【００２９】
また、ランプソケット１０のスロット１１ａを下向きにして使用した際に、蛍光ランプ２０が保持部材３０から外れにくくするためには、保持部３０ａのソケット側の角度θ３は、０〜６０°とすることが好ましく、３０〜４５°とすればより好ましい。本実施の形態では角度θ３は４５°としている。
【００３０】
上記実施の形態ではランプソケットはＪＩＳの定めるＧ５口金に対応したものとして説明したが、本発明によるランプソケットは必ずしも上記に限定されるものではない。
【図面の簡単な説明】
【図１】本発明の一実施の形態のランプソケットおよびこのランプソケットに対応した蛍光ランプの斜視図
【図２】上記ランプソケットおよび蛍光ランプの前面図
【図３】上記ランプソケットの断面図
【図４】上記ランプソケットのその他の態様の断面図
【図５】従来のランプソケットおよび蛍光ランプの前面図
【図６】従来のランプソケットの断面図
【符号の説明】
１０、４０    ランプソケット
１１、４１    ケース本体
１２、４２    底板
１３、４３    ソケット電極
１４、４４    第１の縦板部
１５、４５    底板部
１６、４６    第２の縦板部
２０、５０    蛍光ランプ
２１、５１    蛍光管
２２、５２    口金
２３、５３    ランプピン
３０、６０    保持部材
【図１】
2004327376.tif 000003
【図２】
2004327376.tif 000004
【図３】
2004327376.tif 000005
【図４】
2004327376.tif 000006
【図５】
2004327376.tif 000007
【図６】
2004327376.tif 000008